(57)【要約】【課題】  巻尺における測定用テープの巻き取り速度の加速を抑制することができる、測定用テープの巻取用のぜんまいバネを提供することを目的とする。【解決手段】  ぜんまいバネ１によって、ケース外に引き出された測定用テープ２をケース内へ巻き取るように構成されている巻尺において、巻尺に装備された測定用テープ２に対して、少なくともぜんまいバネ１におけるバネ本体部６のバネ幅ｂを、測定用テープ２の基材４の基材幅ａよりも約０．１ｍｍ〜６．０ｍｍだけ狭く形成する。【選択図】  図１
2020020814.tif 000002
【特許請求の範囲】
【請求項１】
ケース外に引き出された測定用テープを、ぜんまいバネによってケース内へ巻き取るように構成されている巻尺において、
上記巻尺に装備された測定用テープに対して、上記ぜんまいバネの少なくともバネ本体部が、上記測定用テープの基材における基材幅以下のバネ幅及び基材厚以下のバネ厚のうちの少なくとも一方を有することを特徴とする、測定用テープの巻取用のぜんまいバネ。
【請求項２】
上記バネ本体部のバネ幅の方が、上記測定用テープの基材における基材幅よりも約０．１ｍｍ〜６．０ｍｍだけ狭く形成されていることを特徴とする請求項１に記載の測定用テープの巻取用のぜんまいバネ。
【請求項３】
上記バネ本体部のバネ幅の方が、上記測定用テープの基材における基材幅よりも約０．１ｍｍ〜３．０ｍｍだけ狭く形成されていることを特徴とする請求項２に記載の測定用テープの巻取用のぜんまいバネ。
【請求項４】
上記バネ本体部のバネ厚の方が、上記測定用テープの基材における基材厚よりも約０．０１ｍｍ〜０．０５ｍｍだけ薄く形成されていることを特徴とする請求項１〜３のいずれかに記載の測定用テープの巻取用のぜんまいバネ。
【請求項５】
請求項１〜４のいずれかに記載の測定用テープの巻取用のぜんまいバネが設けられた巻尺。
【発明の詳細な説明】
【技術分野】
【０００１】
本発明は、引き出された測定用テープをケース内に巻き取るための巻尺における巻取用のぜんまいバネに関し、詳しくは、巻き取られる測定用テープに加わるダメージを低減できるように構成した巻取用のぜんまいバネに関する。
【背景技術】
【０００２】
従来、自動巻取式の巻尺は、引き出された測定用テープを自動でケース内に巻き取れるように構成されている。測定用テープの巻き取りは鋼製のぜんまいバネによって行われる。ぜんまいバネは、一般的には測定用テープの硬度よりも高い硬度のぜんまいバネが用いられていて、引き出された測定用テープをしっかりとケース内に巻き取れるようになっている。
【０００３】
ぜんまいバネによる測定用テープの巻き取りは、ケース内から測定用テープが引き出されることによって測定用テープに直接的あるいは間接的に接続されたぜんまいバネが巻き上げられ、この巻き上げられたぜんまいバネが復帰するときの復帰力によって測定用テープがケース内に引き込まれる。
【０００４】
上述したように、付勢されたぜんまいバネの復帰力によって測定用テープを巻き取るように構成されている巻尺では、巻き取りの開始から終了までの間、測定用テープの巻き取り速度は加速し続けていて、この測定用テープの巻き取り速度の加速によって測定用テープが大きく振れるなどして暴れ、測定用テープがダメージを受けてしまうことがあった。ダメージは測定用テープのテープ幅（広い／狭い）に関係なく発生しているが、比較的テープ幅が狭い巻尺に多く発生していた。
【先行技術文献】
【特許文献】
【０００５】
【特許文献１】実用新案登録第３２１１４４０号公報
【発明の概要】
【発明が解決しようとする課題】
【０００６】
本発明は、測定用テープの巻き取り速度の加速を抑えることができる測定用テープの巻取用のぜんまいバネ及びこれを備える巻尺を提供することを目的とする。
【課題を解決するための手段】
【０００７】
本発明の測定用テープの巻取用のぜんまいバネの一実施例においては、ケース外に引き出された測定用テープを、ぜんまいバネによってケース内へ巻き取るように構成されている巻尺において、巻尺に装備された測定用テープに対して、ぜんまいバネの少なくともバネ本体部が、測定用テープの基材における基材幅以下のバネ幅及び基材厚以下のバネ厚のうちの少なくとも一方を有することを特徴とする。
【０００８】
上記のバネ本体部とは、帯状のぜんまいバネの両端部ないし両端部近傍を除く、ぜんまいバネの短手方向（バネの幅方向）の幅が概ね一定に形成されている部分である。
【０００９】
上記の測定用テープの基材とは、鋼材／樹脂素材／グラスファイバ等の原材料から測定用テープの基になるテープの形状（帯状体）に加工されたテープ状の成形品で、所謂、下地処理／目盛り印刷／トップコート等の処理や印刷塗装が行われていない生地の状態にある測定用テープを指す。
【００１０】
また一実施例においては、バネ本体部のバネ幅の方が、測定用テープの基材における基材幅よりも約０．１ｍｍ〜６．０ｍｍだけ狭く形成されていることを特徴とする。
【００１１】
そして、測定用テープのテープ幅が比較的狭い巻尺である場合、バネ本体部のバネ幅の方が、測定用テープの基材における基材幅よりも約０．１ｍｍ〜３．０ｍｍだけ狭く形成されていることを特徴とする。
【００１２】
また一実施例においては、バネ本体部のバネ厚の方が、測定用テープの基材における基材厚よりも約０．０１ｍｍ〜０．０５ｍｍだけ薄く形成されていることを特徴とする。
【００１３】
さらなる実施例においては、上記の測定用テープの巻取用のぜんまいバネが設けられた巻尺を提供する。
【図面の簡単な説明】
【００１４】
【図１】本発明のぜんまいバネの一実施例を示す平面図。
【図２】本発明のぜんまいバネが用いられた巻尺の内部を示す平面図。
【図３】本発明のぜんまいバネが用いられた巻尺の内部を透視した側面図。
【発明を実施するための形態】
【００１５】
本発明の測定用テープの巻取用のぜんまいバネ及びこれを備える巻尺について、添付の図面を参照しつつ説明する。ぜんまいバネは、少なくともバネ本体部が、測定用テープの基材における基材幅以下のバネ幅及び基材厚以下のバネ厚のうちの少なくとも一方を有するように形成されている。
【００１６】
図１を参照しつつ説明すると、ぜんまいバネ１におけるバネ本体部６のバネ幅ｂは、巻尺に装備される測定用テープの仕様に応じて約０．１ｍｍ〜６．０ｍｍだけ狭く形成されたぜんまいバネ１を選定するのが望ましい。これにより、狭くなった分だけバネの弾性力が弱くなるので、測定用テープの巻き取り速度の加速を抑える効果が生じる。とりわけ測定用テープ２のテープ幅が約２５ｍｍ以下の鋼製の測定用テープが装備される巻尺に適応する。
【００１７】
また、測定用テープ２のテープ幅が約６ｍｍ〜１３ｍｍの鋼製の測定用テープが装備される巻尺の場合、ぜんまいバネ１におけるバネ本体部６のバネ幅ｂは、測定用テープの仕様に応じて約０．１ｍｍ〜３．０ｍｍだけ狭く形成されたぜんまいバネ１を選定するのが望ましい。
【００１８】
図１は、ぜんまいバネ１の一実施例を示す。この図１は、測定用テープ２のテープ幅が約６ｍｍ〜１３ｍｍの比較的狭い測定用テープが装備される巻尺の一実施例を示しており、巻尺に装備される測定用テープ２の基材４の基材幅ａを８ｍｍとした場合には、ぜんまいバネ１のバネ本体部６のバネ幅ｂを６ｍｍのバネ幅に形成する。
【００１９】
ぜんまいバネ１と測定用テープ２（基材４）との接続は、測定用テープ２（基材４）に形成された接続用開口８に、ぜんまいバネ１の端部に形成された接続用係合端１０が係着されて、ぜんまいバネ１と測定用テープ２（基材４）とが接続される（図１は接続の一実施例）。
【００２０】
また、測定用テープの巻き取り速度の加速を抑えるための一実施例としては、ぜんまいバネ1のバネ本体部６のバネ厚を、測定用テープ２の基材４の基材厚以下のバネ厚に形成する（図示せず）。
【００２１】
なお、ぜんまいバネ１におけるバネ本体部６のバネ厚は、巻尺に装備される測定用テープの仕様に応じて約０．０１ｍｍ〜０．０５ｍｍの範囲で薄く形成されたぜんまいバネ１を選定するのが望ましい。これにより、薄くなった分だけバネの弾性力が弱くなるので、測定用テープの巻き取り速度の加速を抑える効果が生じる。
【００２２】
さらに、測定用テープの巻き取り速度の加速を抑えるための一実施例としては、ぜんまいバネ１のバネ本体部６を、測定用テープ２の基材４における基材幅以下のバネ幅に形成するとともに、基材厚以下のバネ厚に形成する。
【００２３】
そして、測定用テープ２のテープ幅が約６ｍｍ〜１３ｍｍの比較的狭い測定用テープが装備される巻尺のバネ幅及びバネ厚の一実施例としては、巻尺に装備される測定用テープの仕様に応じて変化するが、巻尺に装備される測定用テープ２の基材４の基材幅が８ｍｍ、基材厚が０．１１ｍｍである場合、ぜんまいバネ１のバネ本体部６のバネ幅を６ｍｍ、バネ厚を０．１０ｍｍに形成することで、測定用テープ２の巻き取り速度の加速抑制によい効果が得られる。
【００２４】
図２は、本発明のぜんまいバネ１が用いられた一実施例の巻尺１２の内部を示す平面図である。なお、巻尺１２におけるケース１４の蓋は別体として設けられている。巻尺１２における身の部分のケース１４の内底１６に立設された支持軸１８，１８´のスリット２０に、測定用テープ２を巻き取るためのぜんまいバネ１の一端が係着され、他端が巻胴部２２の内面（内壁）に係着されている。
【００２５】
そして、巻胴部２２には、一端が巻胴部２２の外面（外壁）に係着された測定用テープ２が巻かれていて、測定用テープ２におけるケース１４のテープ出入口２４から進出している測定用テープ２の他端にはフック２６が設けられている。
【００２６】
図３は、本発明のぜんまいバネ１が用いられた巻尺１２の内部を側方から透視している。巻尺１２における身の部分のケース１４の内部に立設された支持軸１８，１８´のスリット２０に、測定用テープ２を巻き取るためのぜんまいバネ１の一端が係着され、他端が巻胴部２２の内面（内壁）に係着されている。
【００２７】
そして、ぜんまいバネ１による測定用テープ２の巻き取りは、ケース１４内から測定用テープ２が引き出されることによって測定用テープ２に直接的あるいは間接的に接続されたぜんまいバネ１が巻き上げられて弾性エネルギを蓄え、この巻き上げられたぜんまいバネ１が復帰するときに弾性エネルギが使われて、測定用テープ２がケース１４内に引き込まれるとともに、巻胴部２２の外周面に巻かれる。
【００２８】
上述したように、巻き上げられたぜんまいバネ１が復帰するときに弾性エネルギが使われて、測定用テープ２がケース１４の外からケース１４内に巻き取られるが、ぜんまいバネ１の少なくともバネ本体部６が、測定用テープ２の基材４の基材幅以下のバネ幅及び基材厚以下のバネ厚のうちの少なくとも一方を有するように形成されているので、狭くなった分ないし薄くなった分だけバネの弾性力が弱くなるので、測定用テープ２の巻き取り速度の加速が抑制されて、巻き取られる測定用テープ２の振れや蛇行等を大きく低減させることができる。これはまた、巻尺のさらなる小型化に貢献できる技術でもある。
【００２９】
また、ぜんまいバネにおける測定用テープの接続端部側や支持軸のスリットに係着される係着端部側は、ぜんまいバネとしての機能よりも接続に適した形状に形成されている場合もある。
【符号の説明】
【００３０】
１…ぜんまいバネ
２…測定用テープ
４…基材
６…バネ本体部
８…接続用開口
１０…接続用係合端
１２…巻尺
１４…ケース
１６…内底
１８…支持軸
１８´…支持軸
２０…スリット
２２…巻胴部
２４…テープ出入口
２６…フック
【図１】
2020020814.tif 000003
【図２】
2020020814.tif 000004
【図３】
2020020814.tif 000005